(57)【要約】【課題】縦型の２ウェイスピーカで装飾性に優れたものを提供する。【解決手段】所定間隔をあけて上下に設置された下部筐体および上部筐体と、下部筐体の上面に上向きに設けられた第１スピーカユニットと、上部筐体の上面に上向きに設けられた第２スピーカユニットとを備える。そして、上部筐体が下に凸の錐状に形成されている。２ウェイのスピーカ装置で、ウーファーとツイーターを別の筐体に収納して音域を分離して音質を改善する。且つ、上部筐体を下に凸の錐状にし、ウーファー（第１スピーカユニット）のディフューザーを兼ねさせた。これにより、省スペース且つ新たなデザインのスピーカ装置を実現する。【選択図】図１
2016046752.tif 000002
【特許請求の範囲】
【請求項１】
所定間隔をあけて上下に設置された下部筐体および上部筐体と、
前記下部筐体の上面に上向きに設けられた第１スピーカユニットと、
前記上部筐体の上面に上向きに設けられた第２スピーカユニットと、
を備え、
前記上部筐体は、下に凸の錐状に形成されているスピーカ装置。
【請求項２】
前記下部筐体の、前記第１スピーカユニットの近傍に発光部が設けられ、
前記上部筐体の前記錐状の面が、鏡面である請求項１に記載のスピーカ装置。
【請求項３】
前記上部筐体の前記第２スピーカユニットの上方に、下に凸の錐状に形成されたディフューザーを更に設けた請求項１または請求項２に記載のスピーカ装置。
【請求項４】
前記上部筐体の、前記第２スピーカユニットの近傍に発光部が設けられ、
前記デュフューザーの前記錐状の面が、鏡面である請求項３に記載のスピーカ装置。
【請求項５】
前記上部筐体は、前記下部筐体上に設けられた支柱に支持されており、
前記支柱は中空であり、その内部に前記第２スピーカユニットのスピーカケーブルが通されている請求項１または請求項２に記載のスピーカ装置。
【請求項６】
前記上部筐体は、前記下部筐体上に設けられた２本の支柱に支持されており、
前記２本の支柱はそれぞれ中空であり、一方の支柱の内部に前記第２スピーカユニットのスピーカケーブルが通され、他方の支柱の内部に前記第２スピーカユニットの近傍に設けられた発光部を点灯させる電源ケーブルが通されている請求項３または請求項４に記載のスピーカ装置。
【発明の詳細な説明】
【技術分野】
【０００１】
この発明は、縦型のスピーカ装置に関する。
【背景技術】
【０００２】
高音質で音楽等を楽しむためには、フルレンジのスピーカユニットよりも、２つのスピーカユニット（ツイーター、ウーファ）を有する２ウェイスピーカ装置が再生可能な周波数帯域の点において好適である。２ウェイスピーカは、特許文献１に示すようなキャビネットの前面に２つのスピーカユニットが前向きに設けられたものが一般的である。
【０００３】
一方、このようなスピーカ装置をテーブル上に設置したいなどの要求がある。しかし、一般的なスピーカ装置では、指向性があるためテーブルの中央に置くことに適さない。背面は端子などが設けられていてデザイン的に意識されていないなどの問題がある。また、テーブルの上に設置するためには小型であることも要求される。そこで、小型かつ縦型の無指向性スピーカ装置が望まれる。
【先行技術文献】
【特許文献】
【０００４】
【特許文献１】特開平１１−０５５７８０号公報
【０００５】
【特許文献２】特開２００９−１１８１８２号公報
【発明の概要】
【発明が解決しようとする課題】
【０００６】
従来の縦型で無指向性のスピーカ装置としては、特許文献２に示すようなものが提案されている。しかし、装飾性に優れたものや２ウェイのものは実現されていない。
そこで、この発明は、縦型の２ウェイスピーカで装飾性に優れたものを提供することを目的とする。
【課題を解決するための手段】
【０００７】
本発明のスピーカ装置は、所定間隔をあけて上下に設置された下部筐体および上部筐体と、下部筐体の上面に上向きに設けられた第１スピーカユニットと、上部筐体の上面に上向きに設けられた第２スピーカユニットとを備える。そして、上部筐体が下に凸の錐状に形成されていることを特徴とする。
【０００８】
２ウェイのスピーカ装置で、第１スピーカユニット（たとえばウーファー）と第２スピーカユニット（たとえばツイーター）が別々の筐体（キャビネット）に収納されていると音域の分離がよくなる。ただし、そのままでは容積が大きくなる。そこで、上部筐体を下に凸の錐状にし、第１スピーカユニットのディフューザーを兼ねさせた。これにより、省スペースで良い音のスピーカ装置とすることができる。
【０００９】
上記発明において、下部筐体の第１スピーカユニットの近傍に発光部を設け、上部筐体の前記錐状の面を鏡面にしてもよい。これにより、音響と一緒に光も拡散させることができ、装飾性をより高めることができる。
【００１０】
上記発明において、上部筐体を、下部筐体上に設けられた中空の支柱で支持し、支柱の内部に第２スピーカユニットのスピーカケーブルを通してもよい。
【００１１】
上記発明において、上部筐体の第２スピーカユニットの上方に、下に凸の錐状に形成されたディフューザーを更に設けてもよい。これにより、第２スピーカの音声も良好に反射・拡散させることができる。
【００１２】
また、上部筐体の第２スピーカユニットの近傍に発光部を設け、デュフューザーの錐状の面を鏡面にしてもよい。これにより、音響と一緒に光も拡散させることができ、装飾性をより高めることができる。
【００１３】
上記発明において、上部筐体を、下部筐体上に設けられた２本の中空の支柱で支持し、一方の支柱の内部に前記第２スピーカユニットのスピーカケーブルを通し、他方の支柱の内部に第２スピーカユニットの近傍に設けられた発光部を点灯させる電源ケーブルを通してもよい。
【発明の効果】
【００１４】
以上のように、この発明によれば、２ウェイの縦型スピーカ装置で高音質、高装飾性を両立させることが可能になる。
【図面の簡単な説明】
【００１５】
【図１】この発明の実施形態であるスピーカ装置の外観図
【図２】スピーカ装置の分解斜視図
【図３】スピーカ装置の分解斜視図
【図４】スピーカ装置の分解斜視図
【図５】スピーカ装置のバッフル板上の部品配置を示す図
【図６】スピーカ装置の分解斜視図
【図７】スピーカ装置の分解斜視図
【発明を実施するための形態】
【００１６】
図面を参照して本発明の実施形態であるスピーカ装置１について説明する。図１はスピーカ装置１の外観図である。このスピーカ装置１は、縦型で２つのスピーカユニット（ウーファー２０、ツイーター２１）を同軸に上向きに備えている。カバー１３の内部に下部筐体１０、上部筐体１１を備え、下部筐体１０にウーファー２０（不図示）が収納され、上部筐体１１にツイーター２１が収納されている。下部筐体１０は、略円錐台形状をなしている。ただし、側面形状は完全な台形ではなく、若干中央部が窪んだシャープな形状にされている。略円錐台形状の下部筐体１０の上面にウーファー２０が上向きに設けられている。下部筐体１０はベース１２の上に設けられている。ベース１２は、円盤状で中央部に電子回路３０（図２参照）が設けられている。
【００１７】
上部筐体１１は、下部筐体１０の上方に２本の支柱１５で支持されている。上部筐体１１は下に凸の略円錐形状をしている。側面形状は完全な二等辺三角形ではなく、若干中央部が窪んだシャープな形状にされている。上部筐体１１の上面（円錐の底面）に上向きにツイーター２１が設けられている。また、上部筐体１１の胴部１１Ａ（円錐の側面）は尖った形状でウーファー２０に対向しており、ウーファー２０から放音された音声を全周に向けて反射・拡散する。このように、上部筐体１１（胴部１１Ａ）は、ウーファー用デュフューザーとして機能する。
【００１８】
カバー１３は、略正確な円錐台形状であり、金属製のパンチメッシュで構成されている。カバー１３は、上部筐体１１、下部筐体１０を上面、側面からカバーしている。カバー１３の上面の内側には、ツイーター用ディフューザー１４が設けられている。ツイーター用ディフューザー１４の形状は、上部筐体１１と類似した下に凸の略円錐形状である。
【００１９】
なお、下部筐体１０、ウーファー２０、上部筐体１１、ツイーター２１およびツイーター用ディフューザー１４は、上下方向に同軸に配列されている。
【００２０】
以下、図２〜図７の分解図を参照してスピーカ装置１の内部構造を説明する。なお、図４および図７は、構造を見やすくするため、天地を逆にした分解図にしている。図２は、ベース１２を下部筐体１０から取り外した状態を示す分解斜視図である。図３は、下部筐体１０からカバー１３を取り外した状態を示す分解斜視図である。
【００２１】
ベース１２は、下部筐体１０の底板１０Ｂにビス止め固定される。ベース１２上面の中央部には電子回路３０が設けられている。電子回路３０は、電源回路、オーディオ回路、Ｂｌｕｅｔｏｏｔｈ（登録商標）通信回路、リモコン回路等からなる。また、電子回路３０は、ベース１２の裏面側に、ステレオミニジャックであるオーディオ入力端子３０Ａを露出させている。下部筐体１０は、胴部１０Ａ、底板１０Ｂを有している。底板１０Ｂの周囲にはカバー１３を下部筐体１０に対して固定するための取付リング１０１がビス止めされている。カバー１３は、下端の周縁部に複数の突辺１３Ａを有している。この突辺１３Ａが、取付リング１０１に形成されているスリットに差し込まれ、ビス止めされる。これにより、カバー１３が取付リング１０１に固定される。取付リング１０１の外周部上面には複数のＬＥＤ３８が設けられている。ＬＥＤ３８は上向きに発光し、下部筐体１０の側面を照らす。
【００２２】
底板１０Ｂは、胴部１０Ａに合わせた円板形状であるが、電子回路３０やオーディオ入力端子３０Ａ用の凸部を避けた凹凸を有する形状に形成されており、バッフル用のポート１０Ｄを有している。また、ベース１２のポート１０Ｄに対向する位置にも同様の開口部１２Ａが形成されている。
【００２３】
電子回路３０から３本のケーブルが引き出され、底板１０Ｂに形成された小孔を介して下部筐体１０内に導かれている。（小孔とケーブルの隙間はクッション材などにより密閉処理されている）この３本のケーブルは、ウーファーケーブル３５、ツイーターケーブル３６およびＬＥＤケーブル３７（３７Ａ）である。
【００２４】
図４は下部筐体１０の内部の構造を示す分解斜視図である。図５は下部筐体１０のバッフル板１０Ｃ上の部品配置を示す図である。底板１０Ｂには、下側から取付リング１０１がビス止め固定されるともに、上側から胴部１０Ａがビス止め固定される。上述したように、底板１０Ｂは、胴部１０Ａに合わせた円板形状であるが、電子回路３０やオーディオ入力端子３０Ａ用の凸部を避けた凹凸を有する形状に形成されており、バッフル用のポート１０Ｄを有している。
【００２５】
胴部１０Ａ内側の上端部からやや下方には、リング状のバッフル板１０Ｃが形成されている。バッフル板１０Ｃには、内部からウーファー２０が取り付けられる。ウーファ２０には上述のウーファーケーブル３６が接続される。図５に示すように、バッフル板１０Ｃの上面には３つのＬＥＤ３１および下側コネクタ３２が取り付けられている。３つのＬＥＤは均等な間隔に配置されている。また、下側コネクタ３２は２つのＬＥＤ３１の間に配置されている。これらＬＥＤ３１および下側コネクタ３２は、ＬＥＤケーブル３７（３７Ａ）に接続されている。ＬＥＤケーブル３７は、電子回路３０からＬＥＤ３１およびＬＥＤ３３（図７参照）を点灯させる電力を供給する。ＬＥＤケーブル３７は２芯ケーブルであり、３つのＬＥＤ３１および下側コネクタ３２は並列に接続されている。電力が供給されると、ＬＥＤ３１は、上に向かって発光する。なお、ＬＥＤケーブル３７は、３本のケーブル３７Ａ、３７Ｂ、３７Ｃからなり、下側コネクタ３２および上側コネクタ３４で接続されている。
【００２６】
バッフル板１０Ｃには支持フレーム１０２が３箇所でビス止め固定される。図６は、支持フレーム１０２から上部の構造を示す分解斜視図である。また、図７は、外部フレーム１１Ｂ付近の分解斜視図である。
【００２７】
支持フレーム１０２は、バッフル板１０Ｃよりも若干小径のリング状に形成され、２箇所に支柱１５を通過させる穴が開設されている。支持フレーム１０２上には、導光リング１６が載置される。その上から拡散リング１７が嵌め込まれ、導光リング１６とともに固定される。導光リング１６は、透明の樹脂性のリングであり、下側の面は、ＬＥＤ３１に対向する部分は平滑に、且つ、対向しない部分は、三角波状に凸凹にされている。この形状でＬＥＤ３１の光を全周に導き、ほぼ全周の帯状の光源のように上方向に光を放射する。拡散リング１７は、乳白色半透明の樹脂製のリング状のキャップであり、下面に形成された突起により支持フレーム１０２に係合する。乳白色半透明であるため、導光リング１６から放射された光を全体に拡散して柔らかい光にして透過する。
【００２８】
支柱１５は、金属（真鍮）製の中空の六角柱であり、両端に雄ネジが切られている。支柱１５は下側を支持フレーム１０２にビスで固定される。上側は、上部筐体１１の胴部１１Ａにビスで固定される。金属製の支柱１５は、上部筐体１１を支持するために十分な剛性・耐衝撃性を備え、ウーファー２０の振動を上部筐体１１に伝達しない。支柱１５の内部にはケーブルが通されている。一方の支柱１５には、ツイーターケーブル３６が通され、他方の支柱１５には、ＬＥＤケーブル３７（３７Ｂ）が通される。ツイーターケーブル３６およびＬＥＤケーブル３７（３７Ｂ）は、支柱１５の内部を通過させるため、端部に端子（コネクタ）が接続されておらず、端部処理（ハンダ付け）がされているのみである。組み立て時、ケーブルは、支柱１５内部に通されたのち、電子回路３０やコネクタ３２、３３に差し込み接続される。
【００２９】
上述したように、上部筐体１１の胴部１１Ａは、支柱１５の上端にビスで固定される。胴部１１Ａには、外部フレーム１１Ｂがビス止め固定される。図７に示すように、外部フレーム１１Ｂの裏側（下側）には、門形の内部フレーム１１１がビス止め固定される。外部フレーム１１Ｂは、胴部１１Ａと同じ外径を有する外リングと、ツイーター２１とほぼ同じ内径を有する内リングと、外リングおよび内リングをつなぐ４本のリムとを有する車輪形の形状をしている。内部フレーム１１は、４本のリムにビス止め固定される。
【００３０】
内部フレーム１１１には、ツイーター２１、２つのＬＥＤ３３および上側コネクタ３４が取り付けられる。ツイーター２１にはツイーターケーブル３６が接続されている。ＬＥＤ３３には、ＬＥＤケーブル３７（３７Ｃ）が接続されている。ＬＥＤケーブル３７Ｃは、上側コネクタ３４に接続されている。また、上側コネクタ３４には、下側コネクタ３２から引き出されたＬＥＤケーブル３７Ｂも接続される。これにより、ＬＥＤ３３は電子回路３０から電力の供給を受けることができる。
【００３１】
ツイーター２１およびＬＥＤ３３が取り付けられた内部フレーム１１１が外部フレーム１１Ｂに取り付けられると、ツイーター２１は、外部フレーム１１Ｂの内リングの穴に対向する。また、ＬＥＤ３３は内リングの裏側から周方向（外リング方向）に発光する。
【００３２】
外部フレーム１１Ｂの内リングと外リングとの間のリング状の溝部に、導光リング１８および拡散リング１９が設けられる。まず、導光リング１８が外部フレーム１１Ｂ上に載置され、その上から拡散リング１９が嵌め込まれ、導光リング１８とともに固定される。導光リング１８は、透明の樹脂性のリングであり、ＬＥＤ３３に対向する箇所はＶ形に屈曲されている。また、屈曲部以外の下側の面は三角波状に凸凹にされている。この形状でＬＥＤ３３の光を全周に導き、ほぼ全周の帯状の光源のように上方向に光を放射する。拡散リング１９は、乳白色半透明の樹脂製のリング状のキャップであり、下面に形成された突起により外部フレーム１１Ｂに係合する。乳白色半透明であるため、導光リング１８から放射された光を全体に拡散して柔らかい光にして透過する。
【００３３】
なお、外部フレーム１１Ｂは、車輪形状で上部筐体１１を密閉していないが、その上からはめ込まれる拡散リング１９によって、ツイーター用キャビネットである上部筐体１１が密閉される。
【００３４】
以上の構成のスピーカ装置１で、オーディオ入力端子３０ＡまたはＢｌｕｅｔｏｏｔｈ（登録商標）から入力されたオーディオ信号は、中低音域と高音域に分けられて増幅される。中低音域の信号は、ウーファーケーブル３５を介してウーファー２０に入力される。高音域の信号は、ツイーターケーブル３６を介してツイーター２１に入力される。ウーファー２０から放音された中低音域の音声は、中心線正面方向に設けられたディフューザーを兼ねる略円錐形状の上部筐体１１（胴部１１Ａ）で反射拡散されて全周方向に伝搬する。ツイーター２１から放音された高音域の音声は、ツイーター用ディフューザー１４で反射拡散されて全周に伝搬する。
【００３５】
また、下部筐体１０、上部筐体１１およびツイーター用ディフューザー１４は、それぞれ表面が、金色に鏡面蒸着仕上げされている。これにより、下部筐体１０は、ＬＥＤ３８の光をよく反射し、上部筐体１１（胴部１１Ａ）は、ＬＥＤ３１の光をよく反射し、ツイーター用ディフューザー１４は、ＬＥＤ３３の光をよく反射し、黒く塗装されたカバー１３越しに装飾的に輪郭を見せることができる。また、支柱１５も、金属（真鍮）性であるため、金色に光り、円錐形状を基本とした筐体１０、１１、ディフューザー１４の組み合わせの中にあっても違和感を生じない。
【００３６】
このように、２ウェイのスピーカ装置で、筐体（スピーカキャビネット）を上部筐体１１、下部筐体１０の２つに分けて、高音と中低音の分離をよくし、且つ、上部筐体１１を下部筐体１０のスピーカユニット（ウーファー２０）の音声を拡散するデュフューザーとして機能させることで、小型化が実現するとともに、デザイン性に優れた縦型のスピーカ装置を実現した。また、ウーファー２０の周囲に発光部（拡散リング１７）を設けるとともに、上部筐体１１の胴部１１Ａを鏡面仕上げにしたことで、音に加えて光も全周に拡散させることができ、より装飾性を高めることができた。
【００３７】
なお、スピーカ装置１は、以上説明した形状に限定されない。本願発明の趣旨を損なわない範囲で変形は自由である。
【符号の説明】
【００３８】
１  スピーカ装置
１０  下部筐体（ウーファー用キャビネット）
１０Ａ  胴部
１０Ｂ  底板
１０Ｃ  バッフル板
１０１  取付リング
１０２  支持フレーム
１１  上部筐体（ツイーター用キャビネット）
１１Ａ  胴部（ウーファー用ディフューザー）
１１Ｂ  外部フレーム
１１１  内部フレーム
１３  カバー
１４  ツイーター用ディフューザー
１５  支柱
１６、１８  導光リング
１７、１９  拡散リング
２０  ウーファー
２１  ツイーター
３０  電子回路
３０Ａ  オーディオ入力端子
３１  ＬＥＤ（下側ＬＥＤ）
３２  下側コネクタ
３３  ＬＥＤ（上側ＬＥＤ）
３４  上側コネクタ
３５  ウーファーケーブル
３６  ツイーターケーブル
３７（３７Ａ，３７Ｂ，３７Ｃ）  ＬＥＤケーブル
３８  ＬＥＤ
【図１】
2016046752.tif 000003
【図２】
2016046752.tif 000004
【図３】
2016046752.tif 000005
【図４】
2016046752.tif 000006
【図５】
2016046752.tif 000007
【図６】
2016046752.tif 000008
【図７】
2016046752.tif 000009